(57)【要約】【課題】  スキャンを実施しない場合の読み取り時間を従来と同等に保ったまま、プリスキャンを行う場合の読み取り時間を短縮できる画像読み取り装置を提供する。【解決手段】  原稿Ｓを乗せる原稿台Ｃと、少なくとも原稿Ｓを照射する光源９および原稿Ｓからの反射光を検知するラインイメージセンサ１４を含み原稿画像を読み取る読み取り手段９、１４と、原稿画像に対して往復動作を行う移動手段８、１１とを備える画像読み取り装置において、読み取り手段９、１４の基準位置Ｐ１、Ｐ２、Ｐ３を往復動作の両端またはその中間位置のいずれかの位置に設定する位置選択手段（制御部）２を備える。【選択図】        図２
2006030708.tif 000002
【特許請求の範囲】
【請求項１】
原稿を乗せる原稿台と、少なくとも原稿を照射する光源および原稿からの反射光を検知するラインイメージセンサを含み原稿画像を読み取る読み取り手段と、原稿画像に対して前記読み取り手段の一部または全部の往復動作を行う移動手段とを備え、前記移動手段により画像の読み取り走査を行う画像読み取り装置において、前記読み取り手段の読み取りを開始する基準位置を往復動作の両端またはその中間位置のいずれかの位置を選択する位置択手段を備えることを特徴とする画像読み取り装置。
【請求項２】
前記位置選択手段は、前記読み取り手段によりプリスキャン動作を行う場合には、前記読み取り開始位置を前記往復動作の一端に、プリスキャン動作を行わない場合には前記往復動作の他端に、プリスキャン動作を行うかどうか予め確定していない場合には前記往復動作の中間位置を選択し、前記移動手段は前記プリスキャン動作と本スキャンとは逆方向の走査することを特徴とする請求項１記載の画像読み取り装置。
【請求項３】
前記往復動作の両端に、シェーディング補正用の補正部材が設けられていることを特徴とする請求項１または２に記載の画像読み取り装置。
【請求項４】
前記光源が画像読み取り開始の指示が与えられた直後から前記光源を点灯させ、動作終了後に前記光源を消灯することを特徴とする請求項１ないし３のいずれか一項記載の画像読み取り装置。
【請求項５】
外部のコンピュータが接続可能とされ、前記外部のコンピュータからも読み取り動作を指示可能であることを特徴とする請求項１ないし４のいずれか一項記載の画像読み取り装置。
【請求項６】
前記位置選択手段は、省エネルギモード移行時、または電源断時に前記読み取り手段の基準位置を往復動作の一端または他端に設定し、前記移動手段により移動させることを特徴とする請求項１ないし５のいずれか一項記載の画像読み取り装置。
【請求項７】
前記位置選択手段は、電源投入時、または省エネルギモードからの復帰時に、前記基準位置を往復動作の中央に設定し、前記移動手段により移動させることを特徴とする請求項１ないし６のいずれか一項記載の画像読み取り装置。
【請求項８】
前記位置選択手段は、前記電源投入時、または省エネルギモードからの復帰時にプリスキャンを行うかどうか判明している場合は、前記基準位置を往復動作の一端または他端に設定し、前記移動手段により移動させることを特徴とする請求項１ないし７のいずれか一項記載の画像読み取り装置。
【請求項９】
前記プリスキャン動作を行う、行わないに係らず、前記読み取り開始位置を前記基準位置のいずれかに固定可能であることを特徴とする請求項１ないし８のいずれか一項記載の画像読み取り装置。
【発明の詳細な説明】
【技術分野】
【０００１】
本発明は、とくに、スキャナ、複写機、ファクシミリ、複合機における画像読み取り装置に関するものである。
【背景技術】
【０００２】
一般的な画像読み取り装置では、原稿画像読み取りのための走査の前に、原稿の有無、原稿のサイズ、原稿の位置、原稿の文字部／写真部の検出、原稿がカラーかモノクロかなどの検出のためプリスキャンを行うことが知られている（例えば、特許文献１および２参照）。
かかる画像読み取り装置では、光学系を載せたキャリッジを、プリスキャンにおいて１往復、本スキャンにおいて１往復させて読み取り動作を完了させている。
特許文献１では、プリスキャンを読み取り動作の往路で行い、本スキャンを読み取り動作の復路で行うことによりプリスキャンを含めた全体の読み取りを１往復にて完了させることにより、読み取り時間を短縮している。
また、特許文献２では、原稿カバーの開閉を検知し原稿カバーが閉じられたときにプリスキャンを実施することにより、画像読み取り開始の指示が入力された直後から本スキャンを開始し、読み取り時間を短縮している。
【特許文献１】特開２００３−２７０７３１公報
【特許文献２】特開２００１−１９７２６９公報
【発明の開示】
【発明が解決しようとする課題】
【０００３】
しかしながら、上記した特許文献１の技術によれば、プリスキャンを必要としない場合でも、キャリッジを本スキャンの開始位置まで移動させる必要があり、余分な時間を必要とする。
また特許文献２の技術では、プリスキャン後から本スキャンが実施されるまでの間、原稿を照射する照明を点灯し続ける必要があるので、すぐに読み取り開始の指示を与えない場合は光源を無駄に点灯し続けることになる。
またＴＷＡＩＮスキャナなど、画像読み取り装置をＰＣ（パーソナルコンピュータ）と接続し、ＰＣ側から画像の命令を出す場合、読み取りの直前までプリスキャンを行うかどうかわからない場合もある。
図１７は従来の画像読み取り装置にてプリスキャンを実施せずに原稿を読み取る場合における第１キャリッジの動きを示す図である。基準白板１６にてシェーディング補正処理を実施し（１）、第１キャリッジが基準位置Ｐ１から移動する間に本スキャンにて画像情報を読み取る（２）。読み取り終了後は第１キャリッジ８をＰ１まで戻す（３）。
図１８は従来の画像読み取り装置にてプリスキャンを実施して原稿を読み取る場合の、第１キャリッジの動きを示す図であり、基準白板１６にてプリスキャン用のシェーディング補正処理を実施し（１）、第１キャリッジが基準位置Ｐ１から移動する間プリスキャンを実施する（２）。プリスキャン終了後は第１キャリッジを基準位置Ｐ１まで戻し（３）、基準白板１６にて本スキャン用のシェーディング補正処理を実施して本スキャンにて画像情報を読み取る（４）。読み取り終了後は第１キャリッジを基準位置Ｐ１まで戻す（５）。したがって、この場合は、読み取り開始から完了まで、第１キャリッジは１．５往復する。
本発明の目的は、プリスキャンを実施しない場合の読み取り時間を従来と同等に保ったまま、プリスキャンを実施する場合の読み取り時間を短縮できる画像読み取り装置を提供することにある。
【課題を解決するための手段】
【０００４】
上記の課題を解決するために、請求項１に記載の発明は、原稿を乗せる原稿台と、少なくとも原稿を照射する光源および原稿からの反射光を検知するラインイメージセンサを含み原稿画像を読み取る読み取り手段と、原稿画像に対して前記読み取り手段の一部または全部の往復動作を行う移動手段とを備え、前記移動手段により画像の読み取り走査を行う画像読み取り装置において、前記読み取り手段の読み取りを開始する基準位置を往復動作の両端またはその中間位置のいずれかの位置を選択する位置択手段を備えることを特徴とする。
請求項２に記載の発明は、前記位置選択手段は、前記読み取り手段によりプリスキャン動作を行う場合には、前記読み取り開始位置を前記往復動作の一端に、プリスキャン動作を行わない場合には前記往復動作の他端に、プリスキャン動作を行うかどうか予め確定していない場合には前記往復動作の中間位置を選択し、前記移動手段は前記プリスキャン動作と本スキャンとは逆方向の走査することを特徴とする。
請求項３に記載の発明は、前記往復動作の両端に、シェーディング補正用の補正部材が設けられていることを特徴とする。
請求項４に記載の発明は、前記光源が画像読み取り開始の指示が与えられた直後から前記光源を点灯させ、動作終了後に前記光源を消灯することを特徴とする。
請求項５に記載の発明は、外部のコンピュータが接続可能とされ、前記外部のコンピュータからも読み取り動作を指示可能であることを特徴とする。
請求項６に記載の発明は、前記位置選択手段は、省エネルギモード移行時、または電源断時に前記読み取り手段の基準位置を往復動作の一端または他端に設定し、前記移動手段により移動させることを特徴とする。
請求項７に記載の発明は、前記位置選択手段は、電源投入時、または省エネルギモードからの復帰時に、前記基準位置を往復動作の中央に設定し、前記移動手段により移動させることを特徴とする。
請求項８に記載の発明は、前記位置選択手段は、前記電源投入時、または省エネルギモードからの復帰時にプリスキャンを行うかどうか判明している場合は、前記基準位置を往復動作の一端または他端に設定し、前記移動手段により移動させることを特徴とする。
請求項９に記載の発明は前記プリスキャン動作を行う、行わないに係らず、前記読み取り開始位置を前記基準位置のいずれかに固定可能であることを特徴とする。
【発明の効果】
【０００５】
本発明の画像読み取り装置では、原稿読み取り前にプリスキャンを行う場合、行わない場合、行うかどうか事前にわからない場合について、それぞれ別の読み取り開始位置を設定しているので、原稿の終了までの時間を早めることができる。
また、本発明の画像読み取り装置では、電源断または省エネルギモード移行時に読み取り手段が基準白板の直下まで移動するので、電源投入または省エネルギモードからの復帰時に実施される読み取り手段の調整を即座に行うことが可能となる。
【発明を実施するための最良の形態】
【０００６】
以下、図面を参照して、本発明の実施形態を詳細に説明する。図１は本発明の画像読み取り装置の一例として、ファクシミリのシステム構成を示す概略図である。
システムの制御を行う制御部２やメモリ１、原稿を読み取り、画像データに変換する読み取り部３、コピー時の出力や送信画像を出力する書き込み部４、キーＳＷや表示部などを有する操作部５、通信制御を行う通信部６、ファクシミリでの送受信画像データの圧縮伸長機能を有する符号化部７などから構成されている。
図２は本発明の画像読み取り装置における画像読み取り装置における読み取り部の構成の一例を示した図である。第１キャリッジ８上には光源９および第１ミラー１０、第２キャリッジ１１上には第２ミラー１２および第３ミラー１３を載せてある。
第１キャリッジ８および第２キャリッジ１１を原稿Ｓに対して平行に移動させて原稿面を読み取る。第１キャリッジ８と第２キャリッジ１１の移動速度を２：１にすることにより、原稿の読み取り面とＣＣＤ１４の距離は一定に保たれる。基準白板１６、１７は、シェーディング補正データを取り込むさいに使用される。
図３は基準位置Ｐ１すなわち第１キャリッジが基準白板１６の直下にある状態を示す概略図である。図４は基準位置Ｐ２すなわち第２キャリッジが基準白板１７の直下にある状態を示す概略図である。図５は基準位置Ｐ３すなわち第１キャリッジがコンタクトガラス（原稿台）の直下にある状態を示す概略図である。
図３ないし図５は第１キャリッジ８および第２キャリッジ１１が、それぞれ基準位置Ｐ１、Ｐ２およびＰ３に停止している状態を示している。
図６はプリスキャンを実施せずに原稿を読み取る場合の、第１キャリッジ８の動きを示す図である。基準白板１６にてシェーディング補正処理を実施し（１）、第１キャリッジ８が基準位置Ｐ１からＰ２まで移動する間に本スキャンにて画像情報を読み取る（２）。読み取り終了後は第１キャリッジ８を基準位置Ｐ２からＰ１まで戻す（３）。
前述した図１７における第１キャリッジの動きは、図６の第１キャリッジ８と全く同じ動きをしている。すなわちプリスキャンを実施しない場合は、従来の画像読み取り装置と完了までの時間は同じである。
【０００７】
図７はプリスキャンを実施して原稿を読み取る場合の、第１キャリッジの動きを示す図である。基準白板１７にてプリスキャン用のシェーディング補正処理を実施し（１）、第１キャリッジ８が基準位置Ｐ２からＰ１まで移動する間プリスキャンを実施する（２）。
基準白板１６にて本スキャン用のシェーディング補正処理を実施し（３）、第１キャリッジ８が基準位置Ｐ１からＰ２まで移動する間に本スキャンにて画像情報を読み取る（４）。
なお、本スキャン用のシェーディング補正処理を実施せず、プリスキャン用のシェーディング補正処理をプリスキャンと本スキャンの両方に適用することも可能である。
前述した図１８では、読み取り開始から完了まで、第１キャリッジ８は１．５往復する。すなわち、本実施の形態においては、プリスキャンを実施して原稿を読み取る場合、従来の画像読み取り装置よりも早く読み取りを完了することができる。
図８および図９は読み取りの直前までプリスキャンを行うかどうかわからない場合の第１キャリッジの動きを示している。図８はプリスキャンを行わない場合の第１キャリッジ８の動きを示す図である。図９はプリスキャンを行う場合の第１キャリッジ８の動きを示す図である。
プリスキャンを行わない場合、第１キャリッジ８を基準位置Ｐ３からＰ１に移動し（１）、基準白板１６にてシェーディング補正処理を実施し（２）、第１キャリッジ８が基準位置Ｐ１からＰ２まで移動する間に本スキャンにて画像情報を読み取る（３）。
読み取り終了後は第１キャリッジ８を基準位置Ｐ２からＰ３まで戻す（４）。なお、連続して原稿を読み取るなど、次の原稿でプリスキャンを行わないことが判明している場合は、読み取り終了後は第１キャリッジ８を基準位置Ｐ３からＰ１まで戻す（１）。
プリスキャンを行う場合、第１キャリッジ８を基準位置Ｐ３からＰ２に移動し（１）、基準白板１７にてプリスキャン用のシェーディング補正処理を実施し（２）、第１キャリッジ８が基準位置Ｐ２からＰ１まで移動する間プリスキャンを実施する（３）。
基準白板１６にて本スキャン用のシェーディング補正処理を実施し（４）、第１キャリッジ８が基準位置Ｐ１からＰ２まで移動する間に本スキャンにて画像情報を読み取る（５）。
読み取り終了後は第１キャリッジ８を基準位置Ｐ２からＰ３まで戻す（６）。なお、連続して原稿を読み取るなど、次の原稿でプリスキャンを行うことが判明している場合は、読み取り終了後は第１キャリッジ８を移動しない（６）。
また、本スキャン用のシェーディング補正処理を実施しないで、プリスキャン用のシェーディング補正処理をプリスキャンと本スキャンの両方に適用することも可能である。
【０００８】
図１０は本発明における光源の光量の経時変化をグラフで示す図である。時刻Ｔａにて光源を点灯させると、光量は徐々に増加し、時刻Ｔｂにて光量はほぼ一定になる。すなわち光源を点灯させてから、読み取り可能状態になるまでにはタイムラグがある。
図１１（ａ）および図１１（ｂ）は読み取り直前までプリスキャンを実施するかどうか解らず、かつプリスキャンを実施する場合の（図９）、光源光量の経時変化と第１キャリッジの移動速度を示している。
図１１（ａ）は読み取り動作開始直後から光源を点灯させる場合をグラフで示す図である。図１１（ｂ）は第１キャリッジが基準位置Ｐ２に移動してから光源を点灯させる場合をグラフで示す図である。
図１１（ａ）の場合では、光源光量の安定を第１キャリッジ８の移動中に実施している。このため図１１（ｂ）と比較して、プリスキャンの開始時間をΔＴだけ早めることができる。
図１２はプリスキャンを実施することが予め解っている場合の（図７）、光源光量の経時変化と第１キャリッジの移動速度をグラフで示す図である。図１１（ａ）と図１２を比較すると、プリスキャンの開始時間がほぼ同じである。すなわち基準位置Ｐ３から読み取りを開始する場合であっても、基準位置Ｐ２から読み取りを開始する場合とほぼ同じ時間で読み取りを完了できる。
図１３（ａ）および図１３（ｂ）は、読み取り直前までプリスキャンを実施するかどうかわからず、かつプリスキャンを実施しない場合の（図９）、光源光量の経時変化と第１キャリッジの移動速度を示している。
図１３（ａ）は読み取り動作開始直後から光源を点灯させる場合をグラフで示す図である。図１３（ｂ）は第１キャリッジが基準位置Ｐ１に移動してから光源を点灯させる場合をグラフで示す図である。
図１３（ａ）の場合、光源光量の安定を第１キャリッジ８の移動中に実施している。このため図１３（ｂ）と比較して、プリスキャンの開始時間をΔＴだけ早めることができる。
【０００９】
図１４はプリスキャンを実施しないことが予め解っている場合の（図６）、光源光量の経時変化と第１キャリッジの移動速度を示す図である。図１３（ａ）と図１４を比較すると、プリスキャンの開始時間がほぼ同じである。
すなわち基準位置Ｐ３から読み取りを開始する場合であっても、基準位置Ｐ１から読み取りを開始する場合とほぼ同じ時間で読み取りを完了できる。
光源光量の確認は、基準白板読み取り時のラインイメージセンサ１４の出力にて確認する。または光源付近にイメージセンサとは独立した光センサを設置し、光センサの出力にて確認する例もある。
図１５はＰＣと接続している画像読み取り装置を示す接続図である。ＰＣと画像読み取り装置は、ＵＳＢ、ＩＥＥＥ１３９４、ＳＣＳＩなどのインタフェースにて接続される。またＰＣにはＴＷＡＩＮドライバがインストールされ、ＰＣから読み取り命令を与えることができる。
図１６はトウェイン（ＴＷＡＩＮ）ドライバの画面を示す概略図である。この画面にてモードを設定し、スキャナボタンを押すと原稿の読み取りが開始する。またプレビューボタンを押すとプリスキャンが実行さる。プリスキャンまたは本スキャンに読み取られた画像は、画面左側のウィンドウに表示される。
本スキャンにより読み取られた画像はＤＲＡＭ等の一時メモリに保存され、ＰＣのスキャナソフトから保存命令を与えることによりＨＤＤ等の記憶媒体に保存される。
読み取り装置に省エネルギモード移行、または電源断命令が与えられると、第１キャリッジ８は基準位置Ｐ１に移動し、その後省エネルギモードに移行、または電源断される。
そして省エネルギモードから復帰、または電源投入されたときに、基準位置Ｐ１にて読み取り手段の調整、具体的には光源光量の確認、ラインイメージセンサ１４の出力の確認などが実施される。
【図面の簡単な説明】
【００１０】
【図１】本発明の画像読み取り装置の一例として、ファクシミリのシステム構成を示す概略図。
【図２】本発明の画像読み取り装置における画像読み取り装置における読み取り部の構成の一例を示した図。
【図３】基準位置Ｐ１すなわち第１キャリッジが基準白板１６の直下にある状態を示す概略図。
【図４】基準位置Ｐ２すなわち第２キャリッジが基準白板１７の直下にある状態を示す概略図。
【図５】基準位置Ｐ３すなわち第１キャリッジがコンタクトガラス（原稿台）の直下にある状態を示す概略図。
【図６】プリスキャンを実施せずに原稿を読み取る場合の、第１キャリッジの動きを示す図。
【図７】プリスキャンを実施して原稿を読み取る場合の、第１キャリッジの動きを示す図。
【図８】プリスキャンを行わない場合の、第１キャリッジの動きを示す図。
【図９】プリスキャンを行う場合の、第１キャリッジの動きを示す図。
【図１０】本発明における光源の光量の経時変化をグラフで示す図。
【図１１】（ａ）は読み取り動作開始直後から光源を点灯させる場合をグラフで示す図、（ｂ）は第１キャリッジが基準位置Ｐ２に移動してから光源を点灯させる場合をグラフで示す図。
【図１２】プリスキャンを実施することが予め解っている場合の（図７）、光源光量の経時変化と第１キャリッジの移動速度をグラフで示す図。
【図１３】（ａ）は読み取り動作開始直後から光源を点灯させる場合をグラフで示す図、（ｂ）は第１キャリッジが基準位置Ｐ１に移動してから光源を点灯させる場合をグラフで示す図。
【図１４】プリスキャンを実施しないことが予め解っている場合の（図６）、光源光量の経時変化と第１キャリッジの移動速度を示す図。
【図１５】ＰＣと接続している画像読み取り装置を示す接続図。
【図１６】トウェイン（ＴＷＡＩＮ）ドライバの画面を示す概略図。
【図１７】従来の画像読み取り装置にてプリスキャンを実施せずに原稿を読み取る場合における第１キャリッジの動きを示す図。
【図１８】従来の画像読み取り装置にてプリスキャンを実施せずに原稿を読み取る場合の、第１キャリッジの動きを示す図。
【符号の説明】
【００１１】
２  位置選択手段（制御部）、８  移動手段（第１キャリッジ、第２キャリッジ）、９  読み取り手段（光源）、１４  読み取り手段（ＣＣＤ、ラインイメージセンサ）、１６  補正部材（基準白板）、１７  補正部材（基準白板）、１８  スキャナ（画像読み取り装置）、１９  外部のコンピュータ（ＰＣ、パーソナルコンピュータ）、Ｃ  原稿台（コンタクトガラス）、Ｐ１、Ｐ２、Ｐ３  基準位置、Ｓ  原稿
【図１】
2006030708.tif 000003
【図２】
2006030708.tif 000004
【図３】
2006030708.tif 000005
【図４】
2006030708.tif 000006
【図５】
2006030708.tif 000007
【図６】
2006030708.tif 000008
【図７】
2006030708.tif 000009
【図８】
2006030708.tif 000010
【図９】
2006030708.tif 000011
【図１０】
2006030708.tif 000012
【図１１】
2006030708.tif 000013
【図１２】
2006030708.tif 000014
【図１３】
2006030708.tif 000015
【図１４】
2006030708.tif 000016
【図１５】
2006030708.tif 000017
【図１６】
2006030708.tif 000018
【図１７】
2006030708.tif 000019
【図１８】
2006030708.tif 000020